(57)【要約】      （修正有）【課題】テープを切断する部品の紛失をより確実に抑制することができる保持具及びテープ剥離部材を提供する。【解決手段】保持具１０は、両面テープＲを切断する糸Ｔを保持する。保持具１０が両面テープＲを切断する糸Ｔを保持するので、糸Ｔを保持具１０から繰り出して、糸Ｔにより両面テープＲを切断して両面テープＲを剥がすことができる。また、保持具１０は環状のコア２の内面２ａに当接する固定部１４を備え、固定部１４が保持具１０をコア２に固定することにより、コア２に保持具１０を固定することができる。よって、両面テープＲの使用前後にかかわらず保持具１０及び糸Ｔを紛失する可能性を低減させることができるので、両面テープＲを切断する部品の紛失をより確実に抑制することができる。【選択図】図４
2020059074.tif 000002
【特許請求の範囲】
【請求項１】
テープを切断する糸を保持する保持具であって、
テープの環状のコアの内面に当接して前記保持具を前記コアに固定する固定部を備える、
保持具。
【請求項２】
板状に形成されている、
請求項１に記載の保持具。
【請求項３】
前記固定部は、前記コアの内面に当接する凸部である、
請求項１又は２に記載の保持具。
【請求項４】
一対に設けられており、一対の前記保持具のそれぞれに一対の前記保持具の間を掛け渡す前記糸が巻き付けられている、
請求項１〜３のいずれか一項に記載の保持具。
【請求項５】
表面に滑り止め部を有する、
請求項１〜４のいずれか一項に記載の保持具。
【請求項６】
前記糸が掛けられる複数のスリットを有する、
請求項１〜５のいずれか一項に記載の保持具。
【請求項７】
貫通孔を更に備える、
請求項１〜６のいずれか一項に記載の保持具。
【請求項８】
前記複数のスリットを互いに接続すると共に前記糸を保持する溝を有する、
請求項６に記載の保持具。
【請求項９】
円板状に形成されている、
請求項１〜８のいずれか一項に記載の保持具。
【請求項１０】
テープを切断する糸を保持する保持具と、テープが巻き付けられたコアとを備えたテープ剥離部材であって、
前記コア及び前記保持具の少なくともいずれかに前記保持具を前記コアに固定する固定部を備える、
テープ剥離部材。
【発明の詳細な説明】
【技術分野】
【０００１】
本開示の一側面は、保持具及びテープ剥離部材に関する。
【背景技術】
【０００２】
特許文献１には、パイプ状の芯材を備えたカッター付き巻きテープが記載されている。カッター付き巻きテープは、巻きテープ、カッター及び係止板を備えており、巻きテープはパイプ状芯材に巻き付けられており円環状とされている。カッターは、巻きテープを切断する歯部と、歯部の根元の部分から一対に突出する係止爪部とを有し、各係止爪部が係止板の切り込みに係止されることによって係止板に保持される。係止板は円板状とされており、係止板の直径は芯材の直径より大きい。また、係止板は、円環状の巻きテープの軸線方向に向けられる端面に接着剤又は粘着テープによって貼り付けられる。
【先行技術文献】
【特許文献】
【０００３】
【特許文献１】実開平６−１３６７号公報
【発明の概要】
【発明が解決しようとする課題】
【０００４】
前述したカッター付き巻きテープでは、カッターを保持する係止板が巻きテープに貼り付けられることにより、輸送運搬中におけるカッターの紛失の抑制を図っている。しかしながら、使用者が実際に巻きテープを使用するときには係止板が巻きテープから剥がされ、その後は巻きテープとカッターとが別々に管理されうる。従って、巻きテープに貼り付けられる係止板を用いる場合には、輸送運搬中にはカッターの紛失を抑制しうるものの、使用後にはカッターを紛失する可能性がある。従って、テープを切断する部品の紛失をより確実に抑制することが求められている。
【課題を解決するための手段】
【０００５】
本開示の一形態に係る保持具は、テープを切断する糸を保持する保持具であって、テープの環状のコアの内面に当接して保持具をコアに固定する固定部を備える。
【０００６】
この形態に係る保持具は、テープを切断する糸を保持する。よって、保持具がテープを切断する糸を保持するので、この糸を保持具から繰り出し、繰り出した糸でテープを切断してテープを剥がすことができる。また、保持具は環状のコアの内面に当接する固定部を備える。この固定部が保持具をコアの内面に固定することにより、コアへの保持具の固定を実現させることができる。従って、使用者がテープを使用した後であっても、糸を保持する保持具をコアに固定することによってテープと保持具とを一体として管理することができる。よって、テープの使用前後にかかわらず保持具を紛失する可能性を低減させることができるので、テープを切断する部品の紛失をより確実に抑制することができる。
【０００７】
別の形態に係る保持具は、板状に形成されていてもよい。
【０００８】
別の形態において、固定部は、コアの内面に当接する凸部であってもよい。
【０００９】
別の形態に係る保持具は、一対に設けられており、一対の保持具のそれぞれに一対の保持具の間を掛け渡す糸が巻き付けられていてもよい。
【００１０】
別の形態に係る保持具は、表面に滑り止め部を有してもよい。
【００１１】
別の形態に係る保持具は、糸が掛けられる複数のスリットを有してもよい。
【００１２】
別の形態に係る保持具は、貫通孔を更に備えてもよい。
【００１３】
別の形態に係る保持具は、複数のスリットを互いに接続すると共に糸を保持する溝を有してもよい。
【００１４】
別の形態に係る保持具は、円板状に形成されていてもよい。
【００１５】
本開示の一形態に係るテープ剥離部材は、テープを切断する糸を保持する保持具と、テープが巻き付けられたコアとを備えたテープ剥離部材であって、コア及び保持具の少なくともいずれかに保持具をコアに固定する固定部を備える。
【００１６】
この形態に係るテープ剥離部材では、保持具がテープを切断する糸を保持し、固定部が保持具をコアに固定する。従って、前述と同様、糸を保持具から繰り出して、繰り出した糸でテープを切断してテープを剥がすことができると共に、コアに保持具を固定させることができる。よって、テープを切断する部品の紛失をより確実に抑制することができる。また、このテープ剥離部材では、固定部は、コア及び保持具の少なくともいずれかに設けられる。従って、固定部がコアに設けられる場合、保持具が当該固定部を備えなくてもよいため、保持具の形状等をより簡易にすることが可能となる。
【発明の効果】
【００１７】
本開示によれば、テープを切断する部品の紛失をより確実に抑制することができる。
【図面の簡単な説明】
【００１８】
【図１】図１は、第１実施形態に係る保持具、糸及びテープの例を示す平面図である。
【図２】図２は、図１の保持具、糸及びテープの例を示す側面図である。
【図３】図３（ａ）、図３（ｂ）及び図３（ｃ）は、テープを剥がす方法の一例を示す図である。
【図４】図４は、図１の保持具、及びテープのコアを示す斜視図である。
【図５】図５は、図１の保持具、及びテープのコアを示す平面図である。
【図６】図６は、図１の保持具を示す正面図である。
【図７】図７は、第２実施形態に係る保持具を示す正面図である。
【図８】図８は、第３実施形態に係る保持具を示す斜視図である。
【図９】図９は、第４実施形態に係る保持具を示す斜視図である。
【図１０】図１０は、第５実施形態に係る保持具を示す斜視図である。
【図１１】図１１は、第６実施形態に係る保持具を示す斜視図である。
【図１２】図１２は、第７実施形態に係る保持具を示す平面図である。
【発明を実施するための形態】
【００１９】
以下では、図面を参照しながら本開示に係る保持具及びテープ剥離部材の実施形態について説明する。図面の説明において、同一又は相当する要素には同一の符号を付し、重複する説明を適宜省略する。また、図面は、理解を容易にするため、一部を簡略化又は誇張して描いている場合があり、寸法比率等は図面に記載のものに限定されない。
【００２０】
本実施形態に係る保持具は、テープを切断する糸を保持する。本明細書において、「保持」とはある物を持ち続けることを示しており、「保持具」は保持する部材及び部分を含んでいる。「テープ」は、薄くて細長い帯状のものを示しており、粘着層を有する粘着テープを含んでいる。本実施形態では、「テープ」が両面テープである例について説明し、両面テープを糸で切断して貼り付け対象物から両面テープを剥離する例について説明する。「テープ剥離部材」とは、貼り付け対象物からテープを剥離する部材及び部分を含んでいる。
【００２１】
（第１実施形態）
図１は、第１実施形態に係るテープ剥離部材１、保持具１０、糸Ｔ及び両面テープＲの例を示す平面図である。図２は、保持具１０、糸Ｔ及び両面テープＲの例を示す側面図である。図３（ａ）、図３（ｂ）及び図３（ｃ）は、糸Ｔによって両面テープＲを切断して両面テープＲを剥がす方法の例を示す図である。なお、図３（ａ）では、簡略化のため、保持具１０の図示を省略している。
【００２２】
両面テープＲは、例えば、両面粘着テープであって、テープ基材Ｒ１と、テープ基材Ｒ１の両主面上に設けられた粘着剤層Ｒ２とを備える。テープ基材Ｒ１の一方の主面上に設けられた粘着剤層Ｒ２が第１の貼り付け対象物Ｍに貼り付けられ、テープ基材Ｒ１の他方の主面上に設けられた粘着剤層Ｒ２が第２の貼り付け対象物Ｎに貼り付けられる。このように、両面テープＲでは、各粘着剤層Ｒ２によって第１の貼り付け対象物Ｍと第２の貼り付け対象物Ｎとを互いに接合する。
【００２３】
互いに接合された第１の貼り付け対象物Ｍ及び第２の貼り付け対象物Ｎは、十分な接着力で接合される。第１の貼り付け対象物Ｍ及び第２の貼り付け対象物Ｎは、テープ基材Ｒ１を糸Ｔで幅方向に２分するように挽き切ることによって容易に分割させることができる。すなわち、糸Ｔは、貼り付け対象物Ｍに貼り付けられた両面テープＲのテープ基材Ｒ１を両面テープＲの厚さ方向に切断し、貼り付け対象物Ｍに残された分断体Ｒ３を貼り付け対象物Ｍに沿って引き延ばすことによって両面テープＲの剥離が行われる。
【００２４】
一例として、両面テープＲのテープ基材Ｒ１は、見掛け密度が０．０６５ｇ／ｃｍ３以上且つ０．１５ｇ／ｃｍ３以下の発泡体を含んでいる。テープ基材Ｒ１が当該発泡体を含むことにより、テープ基材Ｒ１において引き剥がし応力が緩和されると共に高い接着力が得られる。また、当該発泡体の見掛け密度が０．１５ｇ／ｃｍ３以下であることにより、貼り付け対象物Ｍ，Ｎに対する追従性に優れており貼り付け対象物Ｍ，Ｎとの良好な接着性が実現される。
【００２５】
更に、本実施形態では、両面テープＲのテープ基材Ｒ１が当該発泡体を含むため、糸Ｔを貼り付け対象物Ｍ，Ｎに沿って移動させて両面テープＲを容易に切断することができる。具体例として、図１、図２、図３（ａ）及び図３（ｂ）に示されるように、第１の貼り付け対象物Ｍ及び第２の貼り付け対象物Ｎを接合する両面テープＲのテープ基材Ｒ１を糸Ｔで挽き切ることにより、前述したように、第１の貼り付け対象物Ｍに両面テープＲの分断体Ｒ３が残された状態となる。
【００２６】
次いで、図３（ｃ）に示されるように、例えば、当該分断体Ｒ３の一端を押さえつつ、他端を分断体Ｒ３の延在方向（例えば分断体Ｒ３の長手方向）に引き延ばすことにより容易に当該分断体Ｒ３を第１の貼り付け対象物Ｍから剥離できる。なお、図３（ｃ）の例では、分断体Ｒ３の一端を指で押さえる例を示しているが、必ずしも分断体Ｒ３を指等で押さえなくてもよい。このように、本実施形態に係る両面テープＲは、テープ基材Ｒ１に糸Ｔを挿入してテープ基材Ｒ１を両面テープＲの厚さ方向に切断して得られた分断体Ｒ３を引き延ばして剥離される易剥離性両面粘着テープである。
【００２７】
糸Ｔは、例えば、釣り糸、裁縫用糸又はデンタルフロス等であってもよく、種々の糸状体を用いることが可能である。糸Ｔの直径は、両面テープＲのテープ基材Ｒ１の厚さ以下であってもよく、例えば、３．５ｍｍ以下であってもよいし、２．５ｍｍ以下であってもよいし、１．５ｍｍ以下であってもよい。糸Ｔは、ＪＩＳ  Ｌ１０１３（２０１０）に準拠して測定される引張強さが５ｋｇ／ｍ２以上、又は１５ｋｇ／ｍ２以上であってもよい。
【００２８】
糸Ｔは、一対の保持具１０のそれぞれに巻き付けられており、一対の保持具１０の間において延在する。一対の保持具１０の間において延びる糸Ｔが両面テープＲのテープ基材Ｒ１の側面に挿入されることによって両面テープＲが切断される。各保持具１０は、例えば、板状に形成されており、保持具１０の本体（保持具１０の後述する滑り止め部１９以外の部分）の厚さ以上に突出する部位を有しない。一例として、各保持具１０は円板状とされている。これにより、保持具１０を貼り付け対象物Ｍ，Ｎ及び両面テープＲに沿わせやすくすることができるので、指で一対の保持具１０を持って糸Ｔをテープ基材Ｒ１に挿入して両面テープＲを剥離する作業を容易に行うことが可能となる。
【００２９】
保持具１０は、外縁１０ａから保持具１０の内側に延びる第１のスリット１１、第２のスリット１２及び第３のスリット１３を有する。糸Ｔの両端のそれぞれが各第１のスリット１１及び各第３のスリット１３に巻き付けられており、糸Ｔの一部が各第１のスリット１１及び各第２のスリット１２の間に巻き付けられており、更に糸Ｔの一部が一対の保持具１０の間に延び出している。保持具１０の詳細については後述する。
【００３０】
図４は、テープ剥離部材１を示す斜視図である。図１、図２及び図４に示されるように、テープ剥離部材１は、例えば、両面テープＲのコア２、糸Ｔ及び一対の保持具１０を備える。コア２は、例えば、両面テープＲが巻き付けられる芯であって、環状に形成されている。コア２の内径は、例えば、２ｃｍ以上且つ３ｃｍ以下（一例として１インチ）であるが適宜変更可能である。コア２の内面２ａは一対の保持具１０の収容空間Ｋ（保持空間）を画成する。収容空間Ｋには、板状の複数の保持具１０が厚さ方向に重ねられた状態で当該複数の保持具１０が収容されて保持される。
【００３１】
図５は、テープ剥離部材１を示す平面図である。図５に示されるように、保持具１０は、コア２の内面２ａに当接して保持具１０をコア２に固定する固定部１４を備える。固定部１４は、例えば、保持具１０の外縁１０ａから突出すると共に丸みを帯びた凸部であり、当該凸部が内面２ａに当接することによって保持具１０がコア２に固定される。例えば、保持具１０は複数の固定部１４を備えており、複数の固定部１４が保持具１０の周方向に沿って配置されていてもよい。
【００３２】
一例として、３個の固定部１４が保持具１０の周方向に等間隔に配置されていてもよい。保持具１０は、３個以上の固定部１４を備える場合、保持具１０の回転を抑制することができるので、コア２に対する保持具１０の固定を安定させることができる。但し、固定部１４の形状、数及び配置態様は適宜変更可能である。また、固定部１４と共に、又は固定部１４に代えて、保持具１０をコア２に固定する固定部をコア２が備えていてもよい。この場合、例えば、コア２の内面２ａに保持具１０の外縁１０ａが当接する突起が形成されてもよく、コア２の内面２ａに形成される固定部の形状、数及び配置態様についても適宜変更可能である。このように、保持具１０及びコア２の少なくともいずれかが固定部を備えることによって、コア２の収容空間Ｋに保持具１０を固定させることが可能となる。
【００３３】
図６は、保持具１０を示す正面図である。図６に示されるように、前述した固定部１４は、例えば、保持具１０の外縁１０ａから斜めに延びる一対の傾斜部１４ａと、一対の傾斜部１４ａの間に位置する頂部１４ｂとを有する。例えば、各傾斜部１４ａは、外縁１０ａから湾曲しており、一例として円弧状に突出している。頂部１４ｂは、例えば、保持具１０の周方向に沿って平坦状とされており、保持具１０の厚さ方向に湾曲していてもよいし、平坦状であってもよい。一例として、頂部１４ｂは、保持具１０の厚さ方向に円弧状に湾曲している。なお、固定部１４の形状及び大きさは適宜変更可能である。
【００３４】
保持具１０の材料は、例えば、プラスチック（樹脂）であるが、金属等、他の材料であってもよく適宜変更可能である。前述したように、保持具１０は、第１のスリット１１、第２のスリット１２及び第３のスリット１３を有する。第１のスリット１１は、保持具１０の外縁１０ａから保持具１０の径方向内側に延びる直線部１１ａと、直線部１１ａの径方向内側の端部において拡張する拡張部１１ｂとを有する。拡張部１１ｂは、例えば、直線部１１ａから円形状に拡張している。この拡張部１１ｂに糸Ｔが入り込むことにより、保持具１０からの糸Ｔのほつれを抑制することが可能となる。
【００３５】
保持具１０は、第１のスリット１１の隣接位置において保持具１０の厚さ方向に窪む凹部１８を有していてもよい。凹部１８は、保持具１０の周方向の第１のスリット１１の隣接位置に形成されている。このように凹部１８が形成されていることにより、糸Ｔを凹部１８及び第１のスリット１１に入り込ませやすくすることができるので、糸Ｔのほつれをより確実に抑制することができる。なお、第２のスリット１２及び第３のスリット１３も第１のスリット１１と同様の直線部１２ａ，１３ａと拡張部１２ｂ，１３ｂを有し、第２のスリット１２及び第３のスリット１３のそれぞれの隣接位置には第１のスリット１１と同様に凹部１８が形成されている。
【００３６】
第１のスリット１１、第２のスリット１２及び第３のスリット１３は、共に保持具１０の外縁１０ａから保持具１０の径方向内側に延びており、保持具１０に巻き付けられた糸Ｔを保持する溝状とされている。保持具１０は、例えば、円環状とされており、第１のスリット１１及び第２のスリット１２は保持具１０の中心１０ｂを通る直線Ｌ１上に形成されている。第１のスリット１１及び第２のスリット１２は、中心１０ｂに対して互いに対称となる位置に配置されていてもよいし、保持具１０の周方向に等間隔に配置されていてもよい。
【００３７】
第３のスリット１３は、保持具１０の中心１０ｂを通る直線Ｌ１からずれた位置に配置されており、例えば、第３のスリット１３と第２のスリット１２とが成す角度θは３０°以上且つ６０°以下（一例として４５°）とされている。但し、第３のスリット１３の位置は適宜変更可能である。第３のスリット１３は糸Ｔの端部を保持具１０に保持するために設けられている。
【００３８】
図１及び図６に示されるように、糸Ｔは、その一端が一方の保持具１０の第３のスリット１３及び第１のスリット１１に巻き付けられた後に、一方の保持具１０の第２のスリット１２及び第１のスリット１１に巻き付けられ、その他端が他方の保持具１０の第３のスリット１３及び第１のスリット１１に巻き付けられた後に、他方の保持具１０の第２のスリット１２及び第１のスリット１１に巻き付けられる。その結果、一対の保持具１０の間に糸Ｔが延びた状態となる。
【００３９】
なお、糸Ｔの一端及び他端の少なくともいずれかが保持具１０に固定されていてもよいし、糸Ｔの一端及び他端のいずれも保持具１０に固定されず保持具１０に巻き付けられているだけであってもよい。以上のように糸Ｔが保持具１０に保持されることにより、一方の保持具１０と他方の保持具１０との間に糸Ｔが掛け渡された状態となる。また、糸Ｔが巻き付けられるスリットの態様は、第１のスリット１１、第２のスリット１２及び第３のスリット１３に限られず、適宜変更可能である。スリットの数は、１つ、２つ又は４つ以上であってもよい。
【００４０】
図６に示されるように、保持具１０は、例えば、半円形状の一対の貫通孔１５と、一対の貫通孔１５の間において直線Ｌ１に沿って延びる溝１７ａと、第１のスリット１１及び第３のスリット１３の間で延びると共に糸Ｔが入り込む凹部１７ｂ，１７ｃとを有する。溝１７ａ及び凹部１７ｂ，１７ｃにより、保持具１０からの糸Ｔのほつれがより確実に抑制される。一対の貫通孔１５は、互いに合わさることによって円形状に形成されている。なお、貫通孔１５の形状は、半円形状等に限られず、例えば、三角形状若しくは四角形状等の多角形状、楕円形状又は長円形状等、適宜変更可能である。一対の貫通孔１５の間に第１のスリット１１と第２のスリット１２とを接続する接続部１６が延びており、溝１７ａは接続部１６に形成されている。
【００４１】
接続部１６及び溝１７ａは、例えば、第１のスリット１１及び第２のスリット１２に沿って直線状に延びている。溝１７ａは、第１のスリット１１及び第２のスリット１２に巻き付けられた糸Ｔが挿入可能とされており、溝１７ａに糸Ｔが挿入されることにより、板状の保持具１０の面外方向への糸Ｔの膨らみを抑制することができる。溝１７ａは、保持具１０の表面１０ｃ、及び表面１０ｃの反対側を向く裏面の両方に形成されていてもよいし、保持具１０の表面１０ｃ及び裏面のいずれかのみに形成されていてもよい。
【００４２】
保持具１０は、表面１０ｃに滑り止め部１９を有する。保持具１０は、例えば、表面１０ｃ及び裏面の両方に滑り止め部１９を有するが、表面１０ｃのみ、又は裏面のみに滑り止め部１９を有していてもよい。滑り止め部１９は、例えば、表面１０ｃから突出する凸部であるが、粗面化処理された高摩擦部等、凸部以外の態様であってもよい。保持具１０では、滑り止め部１９を表面１０ｃに有することにより、表面１０ｃの摩擦力が高められており、指等で保持具１０を持ったときの滑りが抑制される。
【００４３】
例えば、滑り止め部１９は直線Ｌ１に交差する方向に延びる凸部であり、凸部が直線Ｌ１に交差する方向に延びることにより、直線Ｌ１に沿った方向への滑りがより確実に抑制される。保持具１０は、表面１０ｃに複数の滑り止め部１９を有し、例えば、表面１０ｃに複数の滑り止め部１９が分散して配置されている。「分散して配置」されることには、格子状に配置されている状態、千鳥状に配置されている状態、及び同心円状に配置されている状態を含んでいる。一例として、本実施形態では、複数の滑り止め部１９が直線Ｌ１に直交する方向に直線状に延びるように配置されている。
【００４４】
次に、本実施形態に係る保持具１０から得られる作用効果について説明する。
【００４５】
例えば図４に示されるように、保持具１０は、両面テープＲを切断する糸Ｔを保持する。よって、保持具１０が両面テープＲを切断する糸Ｔを保持するので、糸Ｔを保持具１０から繰り出して、糸Ｔにより両面テープＲを切断して両面テープＲを剥がすことができる。また、保持具１０は環状のコア２の内面２ａに当接する固定部１４を備え、固定部１４が保持具１０をコア２に固定することにより、コア２に保持具１０を固定することができる。
【００４６】
従って、使用者が両面テープＲを使用した後であっても、糸Ｔを保持する保持具１０をコア２に固定することによって両面テープＲと保持具１０とを一体として管理することができる。よって、両面テープＲの使用前後にかかわらず保持具１０及び糸Ｔを紛失する可能性を低減させることができるので、両面テープＲを切断する部品の紛失をより確実に抑制することができる。
【００４７】
保持具１０は、板状に形成されていてもよい。この場合、糸Ｔを保持具１０から繰り出して貼り付け対象物Ｍ，Ｎに貼り付けられた両面テープＲを糸Ｔで切断及び剥離するときに、板状の保持具１０を貼り付け対象物Ｍ，Ｎに沿って移動させながら糸Ｔで両面テープＲを切断することにより、両面テープＲの切断及び剥離をスムーズに行うことができる。
【００４８】
固定部１４は、コア２の内面２ａに当接する凸部であってもよい。この場合、凸部である固定部１４がコア２の内面２ａに当接することにより、コア２の内面２ａに当接する固定部１４の面積を小さくすることができる。従って、コア２の内面２ａに保持具１０を押し付けて保持具１０を固定するときに、保持具１０に対する押し付け力を小さくすることができる。
【００４９】
よって、コア２の内面２ａへの保持具１０の固定を小さい力で容易に行うことができる。また、固定部１４が丸みを帯びた凸部である場合、丸みを帯びない凸部である場合と比較して、固定部１４の欠けを一層確実に抑制できると共に、固定部１４をコア２の内面２ａに押し込みやすい形状とすることができる。
【００５０】
保持具１０は、一対に設けられていてもよく、一対の保持具１０のそれぞれに一対の保持具１０の間を掛け渡す糸Ｔが巻き付けられていてもよい。この場合、一対の保持具１０の間を掛け渡す糸Ｔが一対の保持具１０のそれぞれに巻き付けられる。よって、一対の保持具１０を指で持って一対の保持具１０の間の糸Ｔを両面テープＲに挿入することにより、両面テープＲを切断することができる。また、各保持具１０を指で持って両面テープＲの切断を容易に行うことができるので、糸Ｔを直接指で持つ場合と比較して指を痛めにくくすることができる。従って、一対の保持具１０を指で持って両面テープＲの切断及び両面テープＲの剥離を容易に行うことができる。
【００５１】
保持具１０は、表面１０ｃに滑り止め部１９を有してもよい。この場合、保持具１０を指で持って糸Ｔで両面テープＲを切断するときに、表面１０ｃに滑り止め部１９を有するので保持具１０から指を滑りにくくすることができる。従って、糸Ｔで両面テープＲを切断するときに保持具１０から指が滑ることを抑制することができるので、両面テープＲの切断及び剥離をスムーズに行うことができる。
【００５２】
保持具１０は、糸Ｔが掛けられる複数のスリット（例えば第１のスリット１１、第２のスリット１２及び第３のスリット）を有してもよい。この場合、複数のスリットのそれぞれに糸Ｔを掛けることにより、保持具１０から糸Ｔがほつれる可能性を一層低減させることができる。すなわち、保持具１０による糸Ｔの保持を一層確実にすることができる。
【００５３】
保持具１０は、貫通孔１５を更に備えてもよい。この場合、貫通孔１５の部分に指を当てて保持具１０をつまむことにより、貫通孔１５の部分に指がフィットするので、保持具１０を持ちやすくすることができる。更に、貫通孔１５を備えることにより、万が一誤飲等が生じた場合であっても気道を確保することが可能となる。
【００５４】
保持具１０は、複数のスリットを互いに接続すると共に糸Ｔを保持する溝１７ａを有してもよい。この場合、複数のスリットの間で延びる溝１７ａに糸Ｔが保持されることにより、溝１７ａに糸Ｔを収納できるので糸Ｔのほつれを更に確実に抑えることができる。また、糸Ｔが溝１７ａに入り込むことにより、保持具１０に保持された糸Ｔによる膨らみを抑えることができるので、保持具１０を指で更に持ちやすくすることができる。
【００５５】
保持具１０は、円板状に形成されていてもよい。この場合、保持具１０は鋭利な角部を有しないので、保持具１０を指で一層持ちやすくすることができる。更に、保持具１０が円板状である場合、環状のコア２にフィットしやすい形状とすることができる。
【００５６】
テープ剥離部材１では、保持具１０が両面テープＲを切断する糸Ｔを保持し、固定部１４が保持具１０をコア２に固定する。従って、前述と同様、糸Ｔを保持具１０から繰り出して糸Ｔで両面テープＲを切断し、これにより両面テープＲを剥がすことができる。また、コア２に保持具１０を固定させることができ、両面テープＲを切断する部品の紛失をより確実に抑制することができる。また、テープ剥離部材１において、固定部は、コア２及び保持具１０の少なくともいずれかに設けられてもよい。従って、例えば固定部がコア２に設けられる場合、保持具１０が当該固定部を備えなくてもよいため、保持具１０の形状等を簡易にすることが可能となる。
【００５７】
（第２実施形態）
次に、第２実施形態に係る保持具２０について図７を参照しながら説明する。第２実施形態に係る保持具２０は、固定部２４の態様が第１実施形態と異なっている。以降の説明では、前述した実施形態と重複する説明を適宜省略する。保持具２０は、両面テープＲのコア２に保持具２０を固定する複数の固定部２４を備え、例えば、複数の固定部２４は保持具２０の外縁２０ａに沿った凹凸形状を成している。すなわち、複数の固定部２４によって保持具２０の外縁２０ａに凹凸が形成されている。複数の固定部２４の凸部のそれぞれがコア２の内面２ａに当接することによって、保持具２０がコア２に固定される。
【００５８】
以上、第２実施形態に係る保持具２０は、保持具２０がコア２の内面２ａに当接する複数の固定部２４を備える。よって、固定部２４が保持具２０をコア２に固定することにより、両面テープＲと保持具２０とを一体として管理することができるので、保持具２０及び糸Ｔを紛失する可能性を低減させることができる。従って。第１実施形態と同様の効果が得られる。
【００５９】
（第３実施形態）
続いて、第３実施形態に係る保持具３０について図８を参照しながら説明する。保持具３０は、円環状の外観を呈する。保持具３０は、糸Ｔを保持する第１のスリット３１及び第２のスリット３２を有する板状の糸保持領域３０Ａと、保持具３０の中心３０ａから見て糸保持領域３０Ａの反対側に位置する半円状の貫通孔３３とを含む。糸保持領域３０Ａの面外方向から保持具３０を見たときに、貫通孔３３は保持具３０の半分以上の面積を占めている。貫通孔３３は、糸保持領域３０Ａと、糸保持領域３０Ａに中心３０ａを介して対向すると共に保持具３０の周方向に延びる円弧状の棒状部３４と、棒状部３４の両側のそれぞれに位置する一対の壁部３５とによって画成されている。
【００６０】
棒状部３４は、例えば、保持具３０を持つために指で摘ままれる摘み部であり、摘み部である棒状部３４が円弧状に形成されることにより棒状部３４を摘まみやすくすることが可能である。また、例えば壁部３５の外面３５ａには保持具３０をコア２に固定する固定部３６が設けられている。一例として、固定部３６は凸状とされているが、固定部３６の形状は適宜変更可能である。
【００６１】
第１のスリット３１及び第２のスリット３２は、糸Ｔが巻き付けられるスリットであって、棒状部３４の中点３４ａと保持具３０の中心３０ａとを通る直線Ｌ２に対して互いに対称となる位置に配置されている。糸Ｔは、第１のスリット３１の先端３１ａと第２のスリット３２の先端３２ａとの間に巻き付けられる。第１のスリット３１及び第２のスリット３２は、先端３１ａ，３２ａ同士を結ぶ直線Ｌ３に対して共に傾斜している。直線Ｌ３は糸Ｔが巻き付けられる部分に相当する。すなわち、第１のスリット３１及び第２のスリット３２は、共に、糸Ｔが巻き付けられる方向に対して傾斜している。従って、第１のスリット３１及び第２のスリット３２から糸Ｔをほつれにくくすることができる。
【００６２】
糸保持領域３０Ａの第１のスリット３１と第２のスリット３２の間には貫通孔３７が形成されており、貫通孔３７は、例えば、コの字状とされていてもよい。この場合、貫通孔３７は、直線Ｌ３に沿って延びる第１の部分３７ａと、第１の部分３７ａの両端のそれぞれから中心３０ａの反対側に向かって延びる一対の第２の部分３７ｂとを含んでいてもよい。また、貫通孔３７から見て直線Ｌ３の反対側に、糸保持領域３０Ａの表面３０ｂに対して突出する凸部３８が形成されていてもよい。この場合、糸Ｔの隣接位置に貫通孔３７及び凸部３８が位置するので、糸Ｔを凸部３８に沿って巻き付けやすくすることが可能となる。
【００６３】
以上、第３実施形態に係る保持具３０は、コア２に保持具３０を固定する固定部３６を備えるので、保持具３０及び糸Ｔの紛失を抑制することができ、前述した各実施形態と同様の効果が得られる。更に、第３実施形態に係る保持具３０は、糸保持領域３０Ａの反対側に位置する半円状の貫通孔３３と、コの字状の貫通孔３７とを有するので、前述した気道を確保する効果をより顕著にすることができると共に保持具３０の軽量化に寄与する。
【００６４】
（第４実施形態）
次に、第４実施形態に係る保持具４０について図９を参照しながら説明する。第４実施形態に係る保持具４０は、第３実施形態の棒状部３４及び壁部３５に代えて、半円環状（半円筒状）の壁部４５を有する。壁部４５は、例えば、保持具４０を持つために指で摘ままれる摘み部である。従って、摘み部が半円環状（半円筒状）に形成されることにより、保持具４０を一層摘まみやすくすることができる。また、保持具４０は、例えば、壁部４５の外面４５ａに、コア２に保持具４０を固定する固定部４１を備える。従って、固定部４１で保持具４０をコア２の内面２ａに固定させることによって保持具４０の紛失を抑制することができるので、前述した各実施形態と同様の効果が得られる。
【００６５】
（第５実施形態）
第５実施形態に係る保持具５０について図１０を参照しながら説明する。保持具５０は、保持具５０の中心５０ａから見て糸保持領域３０Ａの反対側に位置する四角形状の貫通孔５１を有する。貫通孔５１は、中心５０ａに対向すると共に前述した直線Ｌ３に沿って延在する延在部５２と、延在部５２の両端のそれぞれと糸保持領域３０Ａとを接続する一対の接続部５３と、糸保持領域３０Ａとによって画成されている。
【００６６】
例えば、延在部５２及び接続部５３は、共に、直線状とされていてもよく、一例として延在部５２の太さは接続部５３の太さよりも太くなっている。例えば、接続部５３の外面５３ａには、保持具５０をコア２の内面２ａに固定する固定部５４が形成されている。一例として、固定部５４は、外面５３ａから突出する凸状とされているが、固定部５４の形状、大きさ、数及び配置態様は適宜変更可能である。
【００６７】
保持具５０は、一対の接続部５３のそれぞれから糸保持領域３０Ａの面外方向に延び出す取手部５５を備える。取手部５５は、例えば、棒状に形成されており、指で摘まみやすい形状とされている。一例として、取手部５５は、コの字状とされており、各接続部５３から直線状に延びる一対の第１の直線部５５ａと、第１の直線部５５ａの端部同士を連結する連結部５５ｂとを有する。以上のように、第５実施形態に係る保持具５０は、コア２に保持具５０を固定する固定部５４を備えるため、前述の各実施形態と同様の効果が得られる。
【００６８】
（第６実施形態）
続いて、第６実施形態に係る保持具６０について図１１を参照しながら説明する。第６実施形態に係る保持具６０は、第５実施形態の取手部５５に代えて、板状の取手部６５を有する。板状の取手部６５は、取手部５５と同様、指で摘ままれる摘み部として機能する。また、保持具６０は、外縁にコア２への固定用の固定部６１を備える。従って、第６実施形態に係る保持具６０からは、前述した各実施形態と同様の効果が得られる。
【００６９】
（第７実施形態）
第７実施形態に係る保持具７０について図１２を参照しながら説明する。保持具７０は、例えば、第１実施形態の保持具１０と共に、糸Ｔの保持構造１００を構成する。すなわち、第７実施形態では、両面テープのコアの内径が前述したコア２の内径よりも大きく、保持具７０の外径（外面の直径）が第７実施形態の両面テープのコアの内径（内面の直径）と略一致している。保持具７０と保持具１０は、コアに対して糸Ｔを保持する二重保持構造を成している。なお、簡略化のため、図１２では糸Ｔの図示を省略している。
【００７０】
保持具７０は、例えば、スポーク状とされている。一例として、保持具７０は、コアの内面に固定される外径部７１と、保持具１０を固定する内径部７２と、外径部７１及び内径部７２を互いに連結する連結部７３とを備える。例えば、外径部７１の外径は保持具７０が固定されるコアの内径と同程度であり、外径部７１は保持具７０の周方向に延在する。外径部７１の外径は、例えば、７ｃｍ以上且つ８ｃｍ以下（一例として３インチ）であるが適宜変更可能である。内径部７２の内径は保持具１０の外径（固定部１４を含む外径）と同程度であり、内径部７２は外径部７１と同様に周方向に延在していてもよい。連結部７３は、例えば複数（一例として３本）設けられており、複数の連結部７３が内径部７２から外径部７１に向かって放射状に延びていてもよい。
【００７１】
以上、第７実施形態では、糸Ｔを保持する保持具１０が保持具７０に固定され、保持具７０が両面テープのコアの内面に固定される。従って、保持具７０を備えることにより、両面テープＲのコア２より大きなコアに対しても糸Ｔ及び保持具１０，７０を固定させることができる。従って、第７実施形態からは前述した各実施形態と同様の効果が得られると共に、複数の保持具を含む保持構造１００を備えることによってサイズが異なるコアに対しても保持具を固定させることができる。このように、異なるサイズのコアにも適用できることにより、糸を保持する保持具の汎用性を高めることができる。
【００７２】
以上、本開示の各実施形態について説明したが、本発明は前述した各実施形態に限定されるものではない。すなわち、保持具及びテープ剥離部材の形状、大きさ及び材料は適宜変更可能であり、保持具及びテープ剥離部材の各部の形状、大きさ、材料、数及び配置態様についても適宜変更可能である。
【００７３】
例えば、前述の各実施形態では、凸状の固定部１４等について説明したが、固定部の形状は凸状に限られず適宜変更可能である。例えば、保持具の外縁の外径がコアの内面の内径と同程度であって、当該保持具の外縁そのものが固定部であってもよい。この場合も保持具の外縁をコアの内面に押し込むことによって保持具をコアに固定させることができるので前述と同様の効果が得られる。また、前述の各実施形態では、テープが両面テープＲである例について説明したが、本開示に係る保持具は両面テープ以外のテープに対しても適用可能である。
【符号の説明】
【００７４】
１…テープ剥離部材、２…コア、２ａ…内面、１０，２０，３０，４０，５０，６０，７０…保持具、１０ａ，２０ａ…外縁、１０ｂ，３０ａ…中心、１０ｃ，３０ｂ…表面、１１，３１…第１のスリット、１１ａ，１２ａ，１３ａ…直線部、１１ｂ，１２ｂ，１３ｂ…拡張部、１２，３２…第２のスリット、１３…第３のスリット、１４，２４，３６，５４…固定部、１４ａ…傾斜部、１５，３３，３７，５１…貫通孔、１６…接続部、１７ａ…溝、１８…凹部、１９…滑り止め部、３０Ａ…糸保持領域、３１ａ，３２ａ…先端、３４…棒状部、３５，４５…壁部、３５ａ，４５ａ，５３ａ…外面、３７ａ，３７ｂ…部分、３８…凸部、５２…延在部、５３…接続部、５５，６５…取手部、５５ａ…直線部、５５ｂ…連結部、７１…外径部、７２…内径部、７３…連結部、１００…保持構造、Ｋ…収容空間、Ｌ１，Ｌ２，Ｌ３…直線、Ｍ…第１の貼り付け対象物、Ｎ…第２の貼り付け対象物、Ｒ…両面テープ（テープ）、Ｒ１…テープ基材、Ｒ２…粘着剤層、Ｒ３…分断体、Ｔ…糸、θ…角度。
【図１】
2020059074.tif 000003
【図２】
2020059074.tif 000004
【図３】
2020059074.tif 000005
【図４】
2020059074.tif 000006
【図５】
2020059074.tif 000007
【図６】
2020059074.tif 000008
【図７】
2020059074.tif 000009
【図８】
2020059074.tif 000010
【図９】
2020059074.tif 000011
【図１０】
2020059074.tif 000012
【図１１】
2020059074.tif 000013
【図１２】
2020059074.tif 000014